(57)【特許請求の範囲】
【請求項１】
本体外郭ケース（９）内に、着脱自在にカートリッジタンク（１）を設け、このカートリッジタンク（１）を受けるサブタンク（８）を設けるとともに、ポンプ（１５）を介してサブタンク（８）内の水を供給する温水タンク（１７）を設けてなり、さらにこの温水タンク（１７）内の水を加熱し温水とし、この温水をポンプ（１５）により加圧し電磁弁（２５）及び洗浄ノズル（２８）を経由して洗浄部に吹き付けることを特徴とする温水洗浄器。
【請求項２】
洗浄ノズル（２８）側の水路は通常は電磁弁（２５）で閉止されており使用時のみ開口し、もう一方の水路端のサブタンク（８）側は大気に開放している水路構成とした請求項１記載の温水洗浄器。
【請求項３】
温水タンク（１７）と電磁弁（２５）間水路の最上位位置に、外気を水路内に取り入れるための空気弁（１８）を設けた請求項１記載の温水洗浄器。
【請求項４】
温水タンク（１７）と電磁弁（２５）間水路の最上位位置に、外気を水路内に取り入れるための空気弁（１８）を設け、更に空気弁（１８）の操作部（３５）をカートリッジタンク（１）収納部壁面に位置させ、カートリッジタンク（１）を外した時のみ操作部（３５）を操作可能とした請求項１又は請求項３記載の温水洗浄器。
【請求項５】
洗浄水噴射の主水路とは別に、サブタンク（８）と温水タンク（１７）より排水するための排水路を設け、これらの排水路を一水路に合体し、その先端に排水栓（３４）を設けた請求項１記載の温水洗浄器。
【発明の詳細な説明】
【０００１】
【発明の属する技術分野】
本発明は、洗浄水をカートリッジタンクで供給する水道配管不要で移動可能な温水洗浄器に関するものである。
【０００２】
【従来の技術】
従来、肛門などの局部を洗浄する衛生洗浄器として、貯水タンクとポンプと洗浄ノズルとを便座に一体的に組み込んだものが一般によく知られている。しかしながら、このような構成では便器上でしか使用出来ないために、例えば、介護を要する老齢者や乳幼児などを使用対象とすると、どうしても使い勝手が悪く、使用形態が制限されていた。
【０００３】
そこで、トイレ以外の場所でも使用できるように、移動可能な温水式の衛生洗浄器が使われるようになってきた。その従来の温水洗浄器の一例として、カートリッジ式のタンクを貯水槽の上部にセットして、タンクから流出した水を貯水槽に溜めそれをヒータで温め温水となし、この温水をポンプを駆動することによりノズルから噴出させ洗浄部を洗浄していた。（例えば実公昭６２−３５４４０号公報参照）
【０００４】
【発明が解決しようとする課題】
従来の温水洗浄器においては、カートリッジタンクから貯水槽への入り口と、貯水槽からポンプへの入り口が近いため、使用時に温水が排出されそれと同量の冷水がカートリッジタンクより入り込み、この冷水がポンプから供給され噴出される恐れがあるという問題があった。
【０００５】
また、高さが低く横長の形状の貯水槽で、かつ、上から冷水を供給する構造では、熱の対流が悪く均一な温度分布が得にくいものであった。更に、高さを高く出来ないので貯水槽の容積を大きく出来ないという問題点もあった。
【０００６】
本発明は、上記課題を解決することの出来る温水洗浄器を提供することを目的としている。
【０００７】
【課題を解決するための手段】
上記課題を解決するために、本発明は、カートリッジタンク内の水を受けるサブタンクを設け、このサブタンク内の水をポンプにより温水タンクに供給し、この温水タンク内の水を加熱し温水となし、この温水タンク内の温水をポンプにより加圧し電磁弁、洗浄ノズルを経由して、洗浄部に吹き付けるようにしたものである。
【０００８】
【発明の実施の形態】
本発明の請求項１では、本体外郭ケース内に、着脱自在にカートリッジタンクを設け、このカートリッジタンクを受けるサブタンクを設けるとともに、ポンプを介してサブタンク内の水を供給する温水タンクを設けてなり、さらにこの温水タンク内の水を加熱し温水となし、この温水をポンプにより加圧し電磁弁及び洗浄ノズルを経由して洗浄部に吹き付ける温水洗浄器としたものである。
【０００９】
また、請求項２においては、洗浄ノズル側の水路は通常は電磁弁で閉止されており使用時のみ開口し、もう一方の水路端のサブタンク側は大気に開放している水路構成としたものである。
【００１０】
また、請求項３においては、温水タンクと電磁弁間水路の最上位位置に、外気を水路内に取り入れるための空気弁を設けた温水洗浄器としたものである。
【００１１】
また、請求項４においては、温水タンクと電磁弁間水路の最上位位置に、外気を水路内に取り入れるための空気弁を設け、更に空気弁の操作部をカートリッジタンク収納部壁面に位置させ、カートリッジタンクを外した時のみ操作部を操作可能とした温水洗浄器としたものである。
【００１２】
さらに請求項５においては、洗浄水噴射の主水路とは別に、サブタンクと温水タンクより排水するための排水路を設け、これらの排水路を一水路に合体し、その先端に排水栓を設けた構成の温水洗浄器としたものである。
【００１３】
本発明はこのような構成としたことにより、温水タンクは縦長の略円筒形で、下端側に吸水口とそのすぐ上側に発熱体と温度センサーが設けてあり、常時４０℃前後の水温に保たれている。即ち、温水タンクは円筒形の形状をしているので対流がよく、均一な温度分布となるものである。
【００１４】
また、使用時は、温水タンクは下方から吸水して上端から出水し、かつ温水タンク内は上方から順次温水となるので洗浄ノズル側へは冷水が送られることはなく、非常に使い勝手がよいものである。従って、温水タンクとしては理想的な形状、構成である。
【００１５】
【実施例】
以下本発明の一実施例を図面に基づいて詳細に説明する。
【００１６】
図１は本発明の一実施例を示す温水洗浄器の断面図であり、図２は図１におけるＡ部の詳細図であり、図３は図１におけるＢ部の詳細図である。
【００１７】
図において、１はカートリッジタンクであり、洗浄水を供給するもので本体に対して着脱自在で持ち運び可能となっており、約２０００ｃｃの容量を有している。カートリッジタンク１には一端に持ち運び用のトッテ２、他端には開口部４があり、開口部４の外周部にはキャップ３が着脱自在に取り付けてある。キャップ３には中央部に水の供給口５が設けられており弁６が弁バネ７を介して取り付けられている。弁６は通常時は弁バネ７で付勢され供給口５を塞いでいるものである。
【００１８】
８はカートリッジタンク１を保持するとともに供給水を２００〜２５０ｃｃ貯溜するサブタンクであり、本体外郭ケース９の一部として一体的に形成されている。１０は受け部であり、カートリッジタンク１を保持するものである。１１は押し棒であり、カートリッジタンク１をセットした時にキャップ３の弁６を押し上げ、弁６は弁バネ７の付勢力に打ち勝ち供給口５を開放するものである。
【００１９】
また、サブタンク８には水出口１２と排水口１３が設けられている。水出口１２からはホース１４によりポンプ１５の吸水口に接続され、さらにポンプ１５の出水口からホース１６により温水タンク１７へと配管されている。温水タンク１７は図示しないが、水加熱用ヒータ、温度制御器などにより構成され４０℃前後の一定温度の温水を作るものであり、約７００ｃｃの容量の水を収納できるようになっている。
【００２０】
１８は空気弁で、入水口と出水口を有する下ケース１９、空気流入口２０と閉止部２１を形成する上ケース２２、弁バネ２３、空気弁１８の操作部である操作ノブ３５を有する閉止弁２４とから構成されている。尚、この閉止弁２４は上ケース２２の空気流入口２０により動作ガイドされ開閉動作するものである。また空気弁１８は水路の最高位置に取り付けられ閉止弁２４の操作ノブ３５は本体外郭ケース９の上部に突出するよう取り付けられている。
【００２１】
２５は電磁弁であり、通常は閉止しており運転時のみ水路を「開」とするものである。２８は洗浄ノズルであり、洗浄用温水を肛門などの洗浄部に向けて噴射し洗浄するものである。
【００２２】
温水タンク１７の出水口はホース２６を経由して空気弁１８の入水口に接続され、空気弁１８の出水口はホース２７を経由して電磁弁２５の入水口に接続されている。また、電磁弁２５の出水口はホース２９を経由して洗浄ノズル２８と接続されている。
【００２３】
また、温水タンク１７の底面部には排水口３０を有し、この排水口３０には排水ホース３１が接続されており、またサブタンク８の底面部には排水口１３が設けられ、排水口１３には排水ホース３２が接続されている。さらに排水ホース３１と排水ホース３２は排水栓ボディ３３に接続され一体化されている。この排水栓ボディ３３にはネジなどにより着脱できる排水栓３４が設置されている。
【００２４】
以上の構成の温水洗浄器における作用の説明をする。
【００２５】
洗浄水供給用のカートリッジタンク１を本体より取り出し、キャップ３を外し水を入れた後キャップ３を取り付け、トッテ２を持って運び本体内に挿入しサブタンク８の受け部１０にセットする。この時、押し棒１１によりキャップ３に設けてある弁６を押し上げ供給口５が開放され、サブタンク８内に洗浄水がカートリッジタンク１から供給される。
【００２６】
洗浄水が供給されサブタンク８内の水位が上がり、キャップ３の端面まで水位面が来ると、カートリッジタンク１内への水と空気の置換が出来なくなり水の供給は停止される。
【００２７】
サブタンク８内の洗浄水はポンプ１５を運転することにより温水タンク１７に供給し、この温水タンク１７を満杯にした状態でヒータにより加熱し４０℃程度の適温に保つ。この状態がスタンバイ状態である。尚、ポンプ１５を運転しサブタンク８内の水を温水タンク１７に供給すると、サブタンク８内の水位が下がりキャップ３から空気がカートリッジタンク１に入ると水との置換が行われ、サブタンク８内に再度水が供給されサブタンク８内は常に水位が一定に保たれるものである。
【００２８】
使用時は、運転スイッチを操作し電磁弁２５を「開」にし、ポンプ１５を運転することにより、サブタンク８から洗浄水を温水タンク１７に送りこみ、温水タンク１７の出水口から温水を押し出し電磁弁２５を経て、洗浄ノズル２８に供給し、洗浄部位に噴射洗浄する。
【００２９】
未使用時、冬期の凍結防止などで機器内の水を排水するときは、無通電状態で排水栓３４を排水栓ボディ３３から外し、空気弁１８の操作ノブ３５を押し閉止弁２４を押し下げることにより弁バネ２３のバネ力に打ち勝ち、閉止弁２４と閉止部２１が開放し、空気流入口２０より空気が流入し、機器内水は温水タンク１７の排水口３０、サブタンク８の排水口１３から排水栓ボディ３３を通り排水される。
【００３０】
次に別の実施例を図４、図５で説明する。
【００３１】
図において、１８は空気弁であり、水路全体の最高位置に設けられており、前記図１〜図３との違いは、空気弁１８が横向きで取り付けられ閉止弁２４の操作ノブ３５がカートリッジタンク１側に位置していることのみである。即ち、空気弁１８はカートリッジタンク１の収納壁面の一部に凹み部３６を設け、この凹み部３６に取り付けられている。この凹み量は空気弁１８の操作ノブ３５がカートリッジタンク１に接触しない程度である。
【００３２】
そして、この構成で冬期の凍結防止などで機器内の水を排水するときは、無通電状態で排水栓３４を排水栓ボディ３３から外し、カートリッジタンク１を器体から抜き出し、空気弁１８の操作ノブ３５を押し閉止弁２４を押し込むことにより弁バネ２３のバネ力に打ち勝ち、閉止弁２４と閉止部２１が開放し、空気流入口２０より空気が流入し、機器内水は温水タンク１７の排水口３０、サブタンク８の排水口１３から排水栓ボディ３３を通り排水される。
【００３３】
【発明の効果】
本発明は、以上説明したような形態で実施され、以下に記載されるような効果を奏する。
【００３４】
温水タンクは容量約７００ｃｃの縦長の略円筒形で、下端側に吸水口とそのすぐ上側に発熱体と温度センサーが設けてあり、常時４０℃前後の水温に保たれている。即ち、温水タンクは円筒形の形状をしているので対流がよく、均一な温度分布となるものである。
【００３５】
また、使用時は、温水タンクは下方から吸水して上端から出水し、かつ温水タンク内は上方から順次温水となるので洗浄ノズル側へは冷水が送られることはなく、非常に使い勝手がよいものである。従って、温水タンクとしては理想的な形状、構成である。
【００３６】
さらに、空気弁を設けたことにより、凍結防止などで機器内の水を排水するときに無通電で行えるので、移動タイプの温水洗浄器においては排水に最も適した場所に移動して排水できるなど電源のない場所でも排水が行えるものである。
【００３７】
また、空気弁を設けたことにより、電磁弁を「開」モードとして水抜きを行う必要がなくなり、これを操作するスイッチなど複雑な制御が不要となる。また空気弁の操作ノブを指で押しているときのみ大気開放され、離すことによりバネ力により自動閉止するので、開放状態のまま水供給操作が実施されることによる水漏れなどが生じることはない。
【００３８】
また、カートリッジタンクを外さなければ空気弁の操作は出来ないため誤操作や、故意操作などはなくなり、万が一、空気弁封止部機密不良などが発生して水が漏れても、漏れた水はサブタンク内に回収されて安全である。
【図面の簡単な説明】
【図１】本発明の一実施例を示す温水洗浄器の側面断面図である。
【図２】同要部（図１のＡ部）断面図である。
【図３】同要部（図１のＢ部）断面図である。
【図４】別の一実施例を示す温水洗浄器の側面断面図である。
【図５】同要部断面図である。
【図６】図４における水抜き操作の説明図である。
【図７】水路系統図である。
【符号の説明】
１：カートリッジタンク、３：キャップ、８：サブタンク、９：本体外郭ケース、１５：ポンプ、１７：温水タンク、１８：空気弁、２５：電磁弁、２８：洗浄ノズル、３４：排水栓。
【図１】
0003780163.tif 000002
【図２】
0003780163.tif 000003
【図３】
0003780163.tif 000004
【図４】
0003780163.tif 000005
【図５】
0003780163.tif 000006
【図６】
0003780163.tif 000007
【図７】
0003780163.tif 000008